(57)【特許請求の範囲】
【請求項１】
上面視四角形の対向する二辺の中点を支点として揺動可能に、ケースにより支持された操作体と、この操作体の中央部を貫通して上下動可能に配設された押釦と、上記操作体の揺動時の両傾倒方向それぞれの下方で、上記ケースの揺動中心軸を挟んで対称な二ヶ所ずつの位置に配設された、駆動体を介して可動接点を押圧動作させるタイプの周辺プッシュスイッチと、上記押釦下方の上記ケースに配設された中央プッシュスイッチからなり、上記操作体を傾倒操作して一方向へ揺動させると、傾倒方向下方の上記二つの周辺プッシュスイッチが二段動作し、上記押釦を押圧操作すると上記中央プッシュスイッチが動作する複合スイッチであって、上記ケースの揺動中心軸を挟んで対称な位置の上記周辺プッシュスイッチどうしで連結一体化された二組の上記駆動体を、圧縮弾性係数が異なる弾性絶縁材料により同一形状・寸法で形成したものとして、その連結一体化された二組の駆動体が独立して弾性変形可能に配された構成とした複合スイッチ。
【請求項２】
上面視四角形の対向する二辺の中点を支点として揺動可能に、ケースにより支持された操作体と、この操作体の中央部を貫通して上下動可能に配設された押釦と、上記操作体の揺動時の両傾倒方向それぞれの下方で、上記ケースの揺動中心軸を挟んで対称な二ヶ所ずつの位置に配設された、駆動体を介して可動接点を押圧動作させるタイプの周辺プッシュスイッチと、上記押釦下方の上記ケースに配設された中央プッシュスイッチからなり、上記操作体を傾倒操作して一方向へ揺動させると、傾倒方向下方の上記二つの周辺プッシュスイッチが二段動作し、上記押釦を押圧操作すると上記中央プッシュスイッチが動作する複合スイッチであって、上記ケースの揺動中心軸の片側に配設された二つの上記周辺プッシュスイッチを、上記各可動接点を押圧する上記各駆動体は絶縁材料からなる同一仕様のもので、上記各可動接点の動作力がそれぞれ異なっているものとした複合スイッチ。
【発明の詳細な説明】
【０００１】
【発明の属する技術分野】
本発明は、情報端末機器等の各種電子機器に使用され、操作部の傾倒および押圧操作により操作する複合スイッチに関するものである。
【０００２】
【従来の技術】
近年の情報端末機器等の電子機器においては、小型化と共に操作機能の多様化が進展している。
【０００３】
そして、これらの多様化した機能を操作するために、電子機器には多くのスイッチが使用されると共に、機器の小型化のためには操作面における操作部の数を少なくする必要があり、複数個のスイッチをまとめて操作するための操作機構を電子機器の構成部材として組み込む等の方法がとられてきた。
【０００４】
【発明が解決しようとする課題】
しかしながら、上記のような電子機器の構成部材として操作機構を組み込む方法では、一ヶ所の操作部で操作できるスイッチの数に限界があり、また電子機器に組み込んだ操作機構とスイッチとの係合が難しく、更に電子機器としてコスト高になるという課題があった。
【０００５】
本発明は、このような従来の課題を解決するものであり、一ヶ所の操作部を傾倒操作または押圧操作することによって、複数個のスイッチを個別に操作できることは勿論、傾倒操作時には二段操作することができ、更に、連続して操作することもできる、予め一体化された電子部品としての複合スイッチを提供することを目的とする。
【０００６】
【課題を解決するための手段】
上記課題を解決するために本発明は、以下の構成を有するものである。
【０００７】
本発明の請求項１に記載の発明は、上面視四角形の対向する二辺の中点を支点として揺動可能に、ケースにより支持された操作体と、この操作体の中央部を貫通して上下動可能に配設された押釦と、上記操作体の揺動時の両傾倒方向それぞれの下方で、上記ケースの揺動中心軸を挟んで対称な二ヶ所ずつの位置に配設された、駆動体を介して可動接点を押圧動作させるタイプの周辺プッシュスイッチと、上記押釦下方の上記ケースに配設された中央プッシュスイッチからなり、上記操作体を傾倒操作して一方向へ揺動させると、傾倒方向下方の上記二つの周辺プッシュスイッチが二段動作し、上記押釦を押圧操作すると上記中央プッシュスイッチが動作する複合スイッチであって、上記ケースの揺動中心軸を挟んで対称な位置の上記周辺プッシュスイッチどうしで連結一体化された二組の上記駆動体を、圧縮弾性係数が異なる弾性絶縁材料により同一形状・寸法で形成したものとして、その連結一体化された二組の駆動体が独立して弾性変形可能に配された構成とした複合スイッチとしたものであり、操作体とその中央部に配設された押釦からなる１ヶ所の操作部の、操作体を傾倒操作して一方向へ揺動させると、傾倒方向下方の二つの周辺プッシュスイッチのうちの一方をまず押圧動作させ、更に傾けると、他方を動作させることができると共に、押釦を押圧操作すると中央プッシュスイッチを動作させることができる、予め一体化された電子部品としての複合スイッチを実現できるという作用効果が得られる。さらに、当該構成であれば、周辺プッシュスイッチの押圧操作ストロークを所定の大きさに設定することが容易で、構成部材数や成形金型数を少なくすることができるという作用効果も得られる。
【０００８】
本発明の請求項２に記載の発明は、上面視四角形の対向する二辺の中点を支点として揺動可能に、ケースにより支持された操作体と、この操作体の中央部を貫通して上下動可能に配設された押釦と、上記操作体の揺動時の両傾倒方向それぞれの下方で、上記ケースの揺動中心軸を挟んで対称な二ヶ所ずつの位置に配設された、駆動体を介して可動接点を押圧動作させるタイプの周辺プッシュスイッチと、上記押釦下方の上記ケースに配設された中央プッシュスイッチからなり、上記操作体を傾倒操作して一方向へ揺動させると、傾倒方向下方の上記二つの周辺プッシュスイッチが二段動作し、上記押釦を押圧操作すると上記中央プッシュスイッチが動作する複合スイッチであって、上記ケースの揺動中心軸の片側に配設された二つの上記周辺プッシュスイッチを、上記各可動接点を押圧する上記各駆動体は絶縁材料からなる同一仕様のもので、上記各可動接点の動作力がそれぞれ異なっているものとした複合スイッチとしたものであり、操作体とその中央部に配設された押釦からなる一ヶ所の操作部の、操作体を傾倒操作して一方向へ揺動させると、傾倒方向下方の二つの周辺プッシュスイッチのうちの一方をまず押圧動作させ、更に傾けると、他方を動作させることができると共に、押釦を押圧操作すると中央プッシュスイッチを動作させることができる、予め一体化された電子部品としての複合スイッチを実現できる。そして、当該構成であれば、揺動中心軸を挟んで二ヶ所ずつ計四ヶ所に配設される周辺プッシュスイッチの、可動接点は二種類必要であるが、これよりも加工に手間がかかり高コストである駆動体を一種類にしてコストダウンすることができるので、複合スイッチ全体としてのコストを下げることができるという作用効果が得られる。
【０００９】
【発明の実施の形態】
以下、本発明の実施の形態について、図１〜図１６を用いて説明する。
【００１０】
（実施の形態）
図１は本発明の一実施の形態による複合スイッチの外観斜視図、図２は同側面断面図、図３は同正面断面図であり、図４は図３のＰ−Ｐ線における断面図、同図５は分解斜視図である。
【００１１】
同図において、１は絶縁樹脂からなる上面視四角形の箱形のケースで、底面の四ヶ所の角部近くに第一周辺プッシュスイッチ２〜第四周辺プッシュスイッチ５（以下、第一スイッチ２〜第四スイッチ５と表わす）、中央に中央プッシュスイッチ６（以下、中央スイッチ６と表わす）が配設されている（図６参照）と共に、対向する二辺の壁部の中央には、後述の操作体７を揺動可能に支持するための二つの支持孔１Ａが設けられている。
【００１２】
そして、第一スイッチ２〜第四スイッチ５の接点部は、図４および図５に示すように、操作体７の揺動中心軸となるケース１の二つの支持孔１Ａを結ぶ線を挟んで対称な二ヶ所ずつの位置に設けられた四ヶ所の窪み内にインサート成形固定された、外周接点８Ａと中央接点８Ｂからなる固定接点８、外周接点９Ａと中央接点９Ｂからなる固定接点９、外周接点１０Ａと中央接点１０Ｂからなる固定接点１０、および外周接点１１Ａと中央接点１１Ｂからなる固定接点１１に対し、それぞれの外周接点８Ａ，９Ａ，１０Ａおよび１１Ａ上に、弾性金属薄板製の円形ドーム状の可動接点２Ａ，３Ａ，４Ａおよび５Ａの下面外周を載せ、その下面中央を中央接点８Ｂ，９Ｂ，１０Ｂおよび１１Ｂとそれぞれ対峙させて、上方から押圧されることによりＯＮ・ＯＦＦするものであり、コンパクトな接点構成となっている。
【００１３】
なお、上記の四つの可動接点２Ａ〜５Ａは同じ形状・寸法で、ほぼ同じ反転動作力を有している、すなわち、四つの接点部はほぼ同じスイッチ動作力を有している。
【００１４】
そして、第一スイッチ２〜第四スイッチ５の各接点部の可動接点２Ａ〜５Ａの上部には、ゴム等の弾性絶縁材料からなる駆動体２Ｂ〜５Ｂが載せられており、この駆動体２Ｂ〜５Ｂを介して各接点部の可動接点２Ａ〜５Ａを押圧することによって、第一スイッチ２〜第四スイッチ５は大きな押圧操作ストロークで動作する構成となっている。
【００１５】
また、この駆動体２Ｂ〜５Ｂは、ケース１の二つの支持孔１Ａを結ぶ線を挟んで対称な二つずつ２Ｂ，３Ｂおよび４Ｂ，５Ｂが連結一体化されて、同一形状・寸法の連結駆動体１２および１３となっているが、各駆動体２Ｂ〜５Ｂは独立して弾性変形できるようになっている。
【００１６】
このような構成とすることによって、この複合スイッチ全体としての構成部材数が少なく組立ても容易であると共に、二つの駆動体２Ｂ，３Ｂ間および４Ｂ，５Ｂ間の位置が安定し、更に二つずつの周辺プッシュスイッチ２と３および４と５の押圧操作ストロークがそれぞれ同じとなっている。
【００１７】
そして、連結駆動体１２と１３は同じ成形金型を使用して形成されているが、連結駆動体１２すなわち駆動体２Ｂ，３Ｂは、連結駆動体１３すなわち駆動体４Ｂ，５Ｂよりも圧縮弾性係数が大きい、すなわち硬い弾性絶縁材料で形成されて、同じ押圧力に対する圧縮変形量が小さくなっている。
【００１８】
一方、中央スイッチ６も、同様にケース１の二つの支持孔１Ａを結ぶ線の中央に設けられた窪み内にインサート成形固定された外周接点１４Ａと中央接点１４Ｂからなる固定接点１４の外周接点１４Ａ上に弾性金属薄板製の円形ドーム形状の可動接点６Ａの下面外周を載せて、その下面中央を中央接点１４Ｂと対峙させることにより接点部が形成され、その可動接点６Ａの上部には剛体絶縁材料からなる駆動体１５が載せられている。
【００１９】
以上の第一スイッチ２〜第四スイッチ５および中央スイッチ６がケース１に配列された状態を示すのが、図６の平面図である。
【００２０】
そして、これらのスイッチ２〜６を収容したケース１の上面が、各駆動体２Ｂ〜５Ｂおよび１５の上半部が貫通する五つの孔１６Ａを有する金属カバー１６で覆われ、その上部に絶縁樹脂製の操作体７および押釦１７が装着されている。
【００２１】
その装着部の構成は、操作体７の上面視略四角形の平板部７Ａの対向する二辺の下部に設けられた二つの円形突部７Ｂ（図３参照）がケース１の二つの支持孔１Ａに挿入されて、操作体７がこの二つの支持孔１Ａを結ぶ線を揺動中心軸として揺動可能に支持され、操作体７中央の非円形の貫通孔７Ｃにより、押釦１７の外周部が、独立して上下動可能であるが共に揺動するように係合・保持されている。
【００２２】
そして、操作体７の平板部７Ａの下面には四つの駆動体２Ｂ〜５Ｂの球面形状となった上端部２Ｃ〜５Ｃの頂点部が当接し、押釦１７の下端面には中央スイッチ６の駆動体１５の球面状となった上端部１５Ａが当接している。
【００２３】
本実施の形態による複合スイッチは以上のように構成されるものであり、次に、図７の側面断面図に示すように、押釦１７先端の非円形の保持孔１７Ａに操作つまみ１８を装着して操作する場合の動作について説明する。
【００２４】
通常状態において、本複合スイッチの第一スイッチ２〜第四スイッチ５および中央スイッチ６のいずれの接点部もＯＦＦ状態であり、上記の図７および、操作体７と押釦１７および操作つまみ１８を装着した状態の、図６のＱ−Ｑ線における断面図である図８に示すように、操作つまみ１８は水平状態となっている。
【００２５】
この状態において、まず第一の動作として、操作つまみ１８の左上面に下方への押し力を加えると、図９の側面断面図（但し、操作つまみは断面にせず）に示すように、操作つまみ１８とこれを装着した押釦１７およびその外周が係合した操作体７は、ケース１の二つの支持孔１Ａに支持された操作体７下部の二つの円形突部７Ｂを結ぶ線を中心軸として揺動し、左方向へ傾倒させられる。
【００２６】
そして、操作体７の左側が下方へ下がるのに伴い、その平板部７Ａの左側下面に当接する駆動体２Ｂおよび４Ｂの球面形状の上端部２Ｃおよび４Ｃが下方に押され、駆動体２Ｂおよび４Ｂは自身が圧縮変形しながら、下方の第一スイッチ２および第三スイッチ４の可動接点２Ａおよび４Ａを下方に押す。
【００２７】
しかし、駆動体２Ｂを形成する弾性絶縁材料は、前述のように、駆動体４Ｂを形成する弾性絶縁材料よりも圧縮弾性係数が大きいので、下方への押圧ストロークすなわち圧縮ストロークが同じであっても、駆動体２Ｂの方が圧縮変形量が小さく、従って、駆動体２Ｂが下方の可動接点２Ａを押す力の方が、駆動体４Ｂが可動接点４Ａを押す力よりも大きい。
【００２８】
このため、操作つまみ１８の押圧ストロークすなわち操作体７の傾倒量が所定の値よりも大きくなると、まず、可動接点２Ａに対する駆動体２Ｂの押圧力が円形ドーム形状の可動接点２Ａの反転動作力よりも大きくなり、図９に示すように、可動接点２Ａは節度感を伴いながら弾性反転し、可動接点２Ａを介して固定接点８の外周接点８Ａと中央接点８Ｂの間が短絡される。
【００２９】
これによって、第一スイッチ２が動作し、その信号はそれぞれの接点に接続された導出端子（図示せず）を経由して、この複合スイッチを使用する電子機器の回路に伝達される。
【００３０】
この時、第三スイッチ４の可動接点４Ａに対する駆動体４Ｂの押圧力は可動接点４Ａの反転動作力よりも小さいので、図８と同様の切断線における断面図（但し、操作つまみは断面にせず）である図１０に示すように、第一スイッチ２のみが動作し、第三スイッチ４の駆動体４Ｂは圧縮変形しているが、可動接点４Ａは反転動作しない。
【００３１】
そして、この状態から操作つまみ１８に加える押し力を増して、図１１の側面断面図（但し、操作つまみは断面にせず）に示すように、操作体７の左側が更に下がると、駆動体２Ｂおよび４Ｂの上端部２Ｃおよび４Ｃが更に押されて、第一スイッチ２の駆動体２Ｂは可動接点２Ａを中央接点８Ｂに押し付けたままで圧縮変形し、第三スイッチ４の駆動体４Ｂも更に圧縮変形していき、その量が所定の値以上になり、可動接点４Ａに対する押圧力が可動接点４Ａの反転動作力を超えると、図８と同様の切断線における断面図（但し、操作つまみは断面にせず）である図１２に示すように、今度は可動接点４Ａが節度感を伴いながら弾性反転し、可動接点４Ａを介して固定接点１０の外周接点１０Ａと中央接点１０Ｂの間が短絡されて、第三スイッチ４が動作する。
【００３２】
この後、操作つまみ１８に加えていた押し力を除くと、可動接点２Ａと４Ａおよび駆動体２Ｂと４Ｂが弾性復元力により元の形状に復帰しようとして、操作体７と押釦１７および操作つまみ１８を元の位置まで押し戻すことによって、元の図７および図８に示す通常状態に復帰し、第一スイッチ２および第三スイッチ４も再びＯＦＦ状態となる。
【００３３】
同様にして、操作つまみ１８の右上面に下方への押し力を加えると、第二スイッチ３と第四スイッチ５を動作させることができる。
【００３４】
以上のように、操作つまみ１８の左上面または右上面に押し力を加えて操作体７および押釦１７を傾倒操作することによって、第一スイッチ２と第三スイッチ４または第二スイッチ３と第四スイッチ５を、異なる操作ストロークにおいて二段動作させることができる。
【００３５】
なお、この時に傾倒操作された操作体７の平板部７Ａの下面が押す、駆動体２Ｂと４Ｂおよび３Ｂと５Ｂの上端部２Ｃと４Ｃおよび３Ｃと５Ｃはいずれも球面状であり、常に各駆動体２Ｂと４Ｂおよび３Ｂと５Ｂの頂点部を押圧するので、第一スイッチ２〜第四スイッチ５を安定して動作させることができる。
【００３６】
また、この操作つまみ１８の左上面または右上面に下方への押し力を加えて、操作体７および押釦１７を傾倒操作する際に、押釦１７には下方向への力は殆ど加わらず、その下端面が中央スイッチ６の駆動体１５の球面形状の上端部１５Ａに沿って動くだけで、中央スイッチ６は動作しない。
【００３７】
次に、第二の動作として、図７および図８に示す通常状態において、操作つまみ１８の上面中央に下方への押し力を加えると、図１３の側面断面図に示すように、保持孔１７Ａに操作つまみ１８を装着された押釦１７が押圧されて、操作体７とは独立して下方へ動き、その下端部に当接した中央スイッチ６の駆動体１５の球面状の上端部１５Ａの中央部を下方に押し、駆動体１５はその下方の中央スイッチ６の可動接点６Ａを下方に押す。
【００３８】
そして、可動接点６Ａに対する押圧力が円形ドーム形状の可動接点６Ａの反転動作力よりも大きくなると、図１３に示すように、可動接点６Ａは節度感を伴いながら弾性反転し、可動接点６Ａを介して固定接点１４の外周接点１４Ａと中央接点１４Ｂの間が短絡される。
【００３９】
これによって、中央スイッチ６が動作し、その信号はそれぞれの接点に接続された導出端子（図示せず）を経由して、この複合スイッチを使用する電子機器の回路に伝達される。
【００４０】
この後、操作つまみ１８に加えていた押し力を除くと、可動接点６Ａが弾性復元力により元の円形ドーム形状に復帰しようとして、駆動体１５と押釦１７および操作つまみ１８を元の位置まで押し戻すことによって、元の図７および図８に示す通常状態に復帰し、中央スイッチ６も再びＯＦＦ状態となる。
【００４１】
なお、この操作つまみ１８の上面中央に下方への押し力を加えて押釦１７を押圧操作する際に、押釦１７は操作体７とは独立して上下動するだけなので操作体７は動かず、従って第一スイッチ２〜第四スイッチ５は動作しない。
【００４２】
そして次に、第三の動作として、上記の第二の動作において、操作つまみ１８を下方に押圧して中央スイッチ６の可動接点６Ａを弾性反転させ、固定接点１４の外周接点１４Ａと中央接点１４Ｂを短絡し、中央スイッチ６を動作させた状態において、更に操作つまみ１８を左方向へ傾倒させる方向の押し力を加えると、図１４の側面断面図に示すように、操作つまみ１８とこれを装着した押釦１７およびその外周が係合した操作体７は、上記の第一の動作の場合と同様に、ケース１の二つの支持孔１Ａに支持された操作体７下部の二つの円形突部７Ｂを結ぶ線を中心線として揺動し、左方向へ傾倒させられる。
【００４３】
そして、操作体７の傾倒に伴い、その平板部７Ａの左側下方の第一スイッチ２および第三スイッチ４が異なる操作ストロークにおいて二段動作することは、上記の第一の動作の場合に図９〜図１２を用いて説明したことと全く同じである。
【００４４】
この後、操作つまみ１８に加えていた下方および傾倒方向への押し力を除くと、第一スイッチ２と第三スイッチ４および中央スイッチ６の可動接点２Ａと４Ａおよび６Ａ並びに駆動体２Ｂと４Ｂの弾性復元力によって元の通常状態に復帰し、第一スイッチ２と第三スイッチ４および中央スイッチ６がＯＦＦ状態になることも、上記の第一の動作および第二の動作の場合と同じである。
【００４５】
同様に、操作つまみ１８を押圧して中央スイッチ６を動作させた状態において、更に操作つまみ１８を右方向へ傾倒させる方向の押し力を加えると、第二スイッチ３および第四スイッチ５を二段動作させることができる。
【００４６】
なお、この操作つまみ１８に下方への押し力を加えた状態において、左または右方向へ傾倒させる方向の押し力を加える際に、押釦１７の下端面が中央スイッチ６の駆動体１５の上端部１５Ａを押しながら傾倒方向へ動くが、駆動体１５の上端部１５Ａは球面形状であるので、スムーズに滑りながら動くことができる。
【００４７】
このように本実施の形態によれば、押釦１７先端の保持孔１７Ａに装着した操作部としての一つの操作つまみ１８を、傾倒操作することによって、周辺の第一スイッチ２〜第四スイッチ５のうちの操作体７の揺動中心軸の片側に配設された二つずつを二段操作することができ、押圧操作することによって、中央スイッチ６を個別に操作することができると共に、操作つまみ１８を押圧したままの状態で傾倒操作することによって、中央スイッチ６と周辺の第一スイッチ２〜第四スイッチ５を連続して操作することができる、予め一体化された電子部品としての複合スイッチを実現できるものである。
【００４８】
なお、以上に説明した本実施の形態による複合スイッチにおいて、周辺の第一スイッチ２〜第四スイッチ５の駆動体２Ｂ〜５Ｂは、ケース１の二つの支持孔１Ａを挟んで対称な二つずつ２Ｂ，３Ｂおよび４Ｂ，５Ｂが連結一体化されて同一形状・寸法の連結駆動体１２および１３となっていて、連結駆動体１２すなわち駆動体２Ｂ，３Ｂと連結駆動体１３すなわち駆動体４Ｂ，５Ｂとは圧縮弾性係数が異なる弾性絶縁材料で形成されることによって、押圧力に対する圧縮変形量が異なっているものであり、これによって、操作つまみ１８すなわち操作体７の傾倒操作時に第一スイッチ２と第三スイッチ４および第二スイッチ３と第四スイッチ５は異なる操作ストロークにおいて二段動作するものであった。
【００４９】
しかし、これを前記の構成から、周辺プッシュスイッチの駆動体を変えた複合スイッチの断面図である図１５に示すように、ケース１の二つの支持孔１Ａを結ぶ線である揺動中心軸を挟んで対称な二つずつの駆動体１９，２０および２１，２２（２０，２２は図示せず）が連結一体化された連結駆動体２３および２４を同じ弾性絶縁材料で同一高さに形成し、連結駆動体２４側の駆動体２１，２２の中央に円形孔２１Ａ，２２Ａ（２２Ａは図示せず）を設けて径方向の肉厚を小さいものとすることによっても、連結駆動体２４側の駆動体２１，２２の押圧力に対する圧縮変形量を連結駆動体２３側の駆動体１９，２０よりも大きくすることができる。
【００５０】
そして、このような構成にすることによって、二つの連結駆動体２３，２４すなわち駆動体１９〜２２を一つの成形金型で同時に成形形成することができる。
【００５１】
また、対応する駆動体間の押圧力に対する圧縮変形量を違える方法として、駆動体の外径を変えてもよいものである。
【００５２】
更に、操作つまみ１８すなわち操作体７の傾倒操作時に、操作体７の揺動中心軸の片側に配設された二つのプッシュスイッチを、異なる操作ストロークにおいて二段動作させる他の構成を示すのが、前記の構成から、周辺プッシュスイッチの駆動体および可動接点を変えた複合スイッチの断面図である図１６である。
【００５３】
同図において、周辺の第一スイッチ２５〜第四スイッチ２８（２６，２８は図示せず）、それぞれの駆動体２５Ｂ〜２８Ｂ（２６Ｂ，２８Ｂは図示せず）は、同じ弾性絶縁材料で同一形状・寸法に形成された同一仕様である。
【００５４】
しかし、ケース１の二つの支持孔１Ａを結ぶ線である揺動中心線の片側に二つずつ配設された周辺プッシュスイッチの円形ドーム形状の可動接点２５Ａ，２７Ａと２６Ａ，２８Ａ（２６Ａ，２８Ａは図示せず）は、直径や高さは同じであるが、素材である弾性金属薄板は、可動接点２５Ａと２６Ａに対して可動接点２７Ａと２８Ａの方が厚いものとなっており、従って、押圧された時の反転動作力は可動接点２７Ａと２８Ａが大きい。
【００５５】
このため、操作つまみ１８および操作体７の傾倒操作時には、傾倒操作側下面の第一スイッチ２５または第二スイッチ２６が先に動作し、更に操作つまみ１８を傾倒させることによって、第三スイッチ２７または第四スイッチ２８が異なる操作ストロークにおいて動作するようになっている。
【００５６】
このようにすることによって、周辺の第一スイッチ２５〜第四スイッチ２８の可動接点２５Ａ〜２８Ａは素材厚さの異なる二種類が必要であるが、これよりも加工に手間がかかり高コストである駆動体２５Ｂ〜２８Ｂを一種類にしてコストダウンすることができるので、複合スイッチ全体としてのコストを下げることができるものである。
【００５７】
【発明の効果】
以上のように本発明によれば、一ヶ所の操作部を傾倒操作または押圧操作することによって、複数個のスイッチを個別に操作できることは勿論、傾倒操作時には二段操作することができ、更に、連続して操作することもできる、予め一体化された電子部品としての複合スイッチを実現できるという有利な効果が得られる。
【図面の簡単な説明】
【図１】  本発明の一実施の形態による複合スイッチの外観斜視図
【図２】  同側面断面図
【図３】  同正面断面図
【図４】  同図３のＰ−Ｐ線における断面図
【図５】  同分解斜視図
【図６】  同各スイッチを配列したケースの平面図
【図７】  同操作つまみを装着した状態の側面断面図
【図８】  同操作体と押釦および操作つまみを装着した状態の、図６のＱ−Ｑ線における断面図
【図９】  同図７の状態から操作つまみを傾倒操作する場合の、図３のＰ−Ｐ線における側面部分断面図
【図１０】  同図８の状態から操作つまみを傾倒操作する場合の部分断面図
【図１１】  同図９の状態から、更に操作つまみを傾倒操作した状態の側面部分断面図
【図１２】  同図１０の状態から、更に操作つまみを傾倒操作した状態の部分断面図
【図１３】  同図７の状態から操作つまみを押圧操作する場合の側面断面図
【図１４】  同図１３の状態から、更に操作つまみを傾倒操作した状態の側面断面図
【図１５】  同周辺プッシュスイッチの駆動体を変えた複合スイッチの、図６のＱ−Ｑ線における断面図
【図１６】  同周辺プッシュスイッチの駆動体および可動接点を変えた複合スイッチの、図６のＱ−Ｑ線における断面図
【符号の説明】
１  ケース
１Ａ  支持孔
２，２５  第一周辺プッシュスイッチ
２Ａ〜５Ａ，６Ａ，２５Ａ〜２８Ａ  可動接点
２Ｂ〜５Ｂ，１５，１９〜２２，２５Ｂ〜２８Ｂ  駆動体
２Ｃ〜５Ｃ，１５Ａ  上端部
３，２６  第二周辺プッシュスイッチ
４，２７  第三周辺プッシュスイッチ
５，２８  第四周辺プッシュスイッチ
６  中央プッシュスイッチ
７  操作体
７Ａ  平板部
７Ｂ  円形突部
７Ｃ  貫通孔
８〜１１，１４  固定接点
８Ａ〜１１Ａ，１４Ａ  外周接点
８Ｂ〜１１Ｂ，１４Ｂ  中央接点
１２，１３，２３，２４  連結駆動体
１６  金属カバー
１６Ａ  孔
１７  押釦
１７Ａ  保持孔
１８  操作つまみ
２１Ａ，２２Ａ  円形孔
【図１】
0003994664.tif 000002
【図２】
0003994664.tif 000003
【図３】
0003994664.tif 000004
【図４】
0003994664.tif 000005
【図５】
0003994664.tif 000006
【図６】
0003994664.tif 000007
【図７】
0003994664.tif 000008
【図８】
0003994664.tif 000009
【図９】
0003994664.tif 000010
【図１０】
0003994664.tif 000011
【図１１】
0003994664.tif 000012
【図１２】
0003994664.tif 000013
【図１３】
0003994664.tif 000014
【図１４】
0003994664.tif 000015
【図１５】
0003994664.tif 000016
【図１６】
0003994664.tif 000017